(57)【特許請求の範囲】
【請求項１】
コンテンツ配信装置から配信された所定のコンテンツデータを、前記ネットワークを介して相互に接続された複数の端末装置を通じて送受信するコンテンツ配信システムであって、
前記端末装置は、
前記ネットワーク上から配信されたCMコンテンツを記憶する記憶手段と、
当該端末装置が非操作状態となってから所定時間が経過した際に、前記記憶手段に記憶されている前記CMコンテンツを読み出して表示手段に表示制御する制御手段と
を有し、
前記コンテンツ配信装置は、視聴を要求する端末装置であるクライアント端末装置に対し、当該要求に係るコンテンツデータを再生するための再生用復号鍵を送信し、
前記クライアント端末装置は、前記要求に係るコンテンツデータの一部又は全部を保持する他の端末装置のリストを、該他の端末装置又は前記コンテンツ配信装置から取得し、前記リストの中から任意の端末装置をパートナー端末装置として選択し、選択したパートナー端末装置又は前記コンテンツ配信装置から要求に係るコンテンツデータの一部又は全部を受信して、当該コンテンツデータを再構成し、前記再生用復号鍵により再生して視聴し、
前記記憶手段及び制御手段は、少なくとも前記パートナー端末装置となる端末装置に備えられ、前記コンテンツデータの配信中に前記CMコンテンツの表示を行う
ことを特徴とするコンテンツ配信システム。
【請求項２】
請求項1に記載のコンテンツ配信システムであって、
前記端末装置は、
前記制御手段により前記表示手段に対して前記CMコンテンツが表示されていた表示時間をカウントする表示時間カウント手段と、
前記表示時間カウント手段によりカウントされた前記表示時間に対応するポイント数が記憶された時間対応ポイント数テーブルとを有し、
前記制御手段は、当該端末装置が前記非操作状態から復帰した際に、前記表示時間カウント手段によりカウントされた前記表示時間に対応するポイント数を前記時間対応ポイント数テーブルから検出し、このポイント数を、前記記憶手段に記憶されているポイント数に対して積算して該記憶手段に記憶制御すること
を特徴とするコンテンツ配信システム。
【請求項３】
請求項2に記載のコンテンツ配信システムであって、
前記コンテンツ配信装置は、所定数のポイントを付加したコンテンツの配信を行い、
前記端末装置の前記制御手段は、前記所定ポイント数のポイントが付加されたコンテンツの視聴制御、或いは聴取制御を行った際に、このコンテンツに付加されている前記ポイントの所定ポイント数を、前記記憶手段に記憶されているポイントのポイント数に積算して記憶制御すること
を特徴とするコンテンツ配信システム。
【請求項４】
請求項2に記載のコンテンツ配信システムであって、
前記コンテンツ配信装置は、所定のポイント数と交換することで視聴可能或いは聴取可能となるポイント交換コンテンツを前記ネットワークを介して前記端末装置に配信し、
前記端末装置の制御手段は、前記ポイント交換コンテンツの視聴制御或いは聴取制御を行った際に、前記記憶手段に記憶されている前記ポイントのポイント数から、前記ポイント交換コンテンツの視聴或いは聴取に対応するポイント数を減算処理すること
を特徴とするコンテンツ配信システム。
【請求項５】
請求項1に記載のコンテンツ配信システムであって、
前記端末装置に対して操作コマンドを無線送信する無線送信手段と、前記端末装置から無線送信された所定の情報を受信する無線受信手段とを備えた携帯端末装置を有し、
前記端末装置は、前記携帯端末装置の無線送信手段から無線送信された操作コマンドを受信する操作コマンド受信手段と、前記携帯端末装置に対して前記所定の情報を無線送信する無線送信手段を有し、
前記端末装置の制御手段は、前記CMコンテンツの表示中に、前記操作コマンド受信手段を介して、当該CMコンテンツのアクセス先に対するアクセスを指定する操作コマンドを受信した場合、この表示中のCMコンテンツに付加されているアクセス情報を、前記無線送信手段を介して前記携帯端末装置に無線送信し、
前記携帯端末装置は、前記端末装置から受信した前記アクセス情報に基づいて、前記CMコンテンツに対応するアクセス先に対してアクセスを行うこと
を特徴とするコンテンツ配信システム。
【請求項６】
請求項5に記載のコンテンツ配信システムであって、
前記携帯端末装置は、当該携帯端末装置の現在位置を検出する現在位置検出手段を有し、
前記携帯端末装置は、前記現在位置検出手段で検出された当該携帯端末装置の現在位置を示す現在位置情報を、前記無線送信手段を介して前記端末装置に送信し、
前記端末装置の制御手段は、前記表示中のCMコンテンツに付加されているアクセス情報が複数存在する場合、この複数のアクセス情報の中から、前記携帯端末装置から受信した現在位置情報で示される該携帯端末装置の現在位置に地理的に近接するアクセス先を示すアクセス情報を選択して前記無線送信手段を介して前記携帯端末装置に無線送信し、
前記携帯端末装置は、前記端末装置から受信した前記アクセス情報に基づいて、前記CMコンテンツに対応するアクセス先に対してアクセスを行うこと
を特徴とするコンテンツ配信システム。
【請求項７】
請求項6に記載のコンテンツ配信システムであって、
前記携帯端末装置は、音声による通話機能を備え、
前記アクセス情報は、前記通話を確立するための電話番号であり、
前記アクセスは、前記電話番号へダイヤルすることによって確立される音声通話である
ことを特徴とするコンテンツ配信システム。
【請求項８】
コンテンツ配信装置から配信された所定のコンテンツを、前記ネットワークを介して相互に接続された複数の端末装置を通じて送受信するコンテンツ配信方法であって、
前記端末装置の制御手段が、前記コンテンツ配信装置から配信されたCMコンテンツを記憶手段に記憶制御する記憶制御ステップと、
前記端末装置の非操作時間検出手段が、当該端末装置が非操作状態となってから経過した時間を検出する非操作時間ステップと、
前記端末装置の制御手段が、前記非操作時間ステップにおいて、前記端末装置が非操作状態となってから所定時間の経過が検出された際に、前記記憶手段に記憶されている前記CMコンテンツを読み出して表示手段に表示制御するCMコンテンツ表示ステップと
を有し、
前記コンテンツ配信装置は、視聴を要求する端末装置であるクライアント端末装置に対し、当該要求に係るコンテンツデータを再生するための再生用復号鍵を送信し、
前記クライアント端末装置は、前記要求に係るコンテンツデータの一部又は全部を保持する他の端末装置のリストを、該他の端末装置又は前記コンテンツ配信装置から取得し、前記リストの中から任意の端末装置をパートナー端末装置として選択し、選択したパートナー端末装置又は前記コンテンツ配信装置から要求に係るコンテンツデータの一部又は全部を受信して、当該コンテンツデータを再構成し、前記再生用復号鍵により再生して視聴し、
前記非操作時間ステップ及びCMコンテンツ表示ステップは、少なくとも前記パートナー端末装置における前記コンテンツデータの配信中に実行される
ことを特徴とするコンテンツ配信方法。
【請求項９】
請求項8に記載のコンテンツ配信方法であって、
前記端末装置の表示時間カウント手段が、前記表示手段に対して前記CMコンテンツが表示されていた表示時間をカウントする表示時間カウントステップと、
前記端末装置の制御手段が、当該端末装置が前記非操作状態から復帰した際に、前記表示時間カウントステップにおいてカウントされた前記表示時間に対応するポイント数を、このカウントされた前記表示時間に対応するポイント数が記憶された時間対応ポイント数テーブルから検出する時間対応ポイント数検出ステップと、
前記端末装置の制御手段が、前記時間対応ポイント数検出ステップで検出されたポイント数を、前記記憶手段に記憶されているポイントのポイント数に対して積算して該記憶手段に記憶制御するポイント記憶ステップと
を有することを特徴とするコンテンツ配信方法。
【請求項１０】
請求項9に記載のコンテンツ配信方法であって、
前記コンテンツ配信装置が、所定数のポイントを付加したコンテンツを配信するポイント付加コンテンツ配信ステップと、
前記端末装置の前記制御手段が、前記所定ポイント数のポイントが付加されたコンテンツの視聴制御、或いは聴取制御を行う再生ステップとを有し、
前記端末装置の前記制御手段は、前記再生ステップで前記コンテンツの視聴制御、或いは聴取制御を行った際に、前記ポイント記憶ステップにおいて、前記コンテンツに付加されている前記ポイントの所定ポイント数を、前記記憶手段に記憶されているポイントのポイント数に積算して記憶制御すること
を特徴とするコンテンツ配信方法。
【請求項１１】
請求項9に記載のコンテンツ配信方法であって、
前記コンテンツ配信装置が、所定のポイント数と交換することで視聴可能或いは聴取可能となるポイント交換コンテンツを前記ネットワークを介して前記端末装置に配信するポイント交換コンテンツ配信ステップを有し、
前記再生ステップでは、前記端末装置の制御手段が、前記ポイント交換コンテンツの視聴制御或いは聴取制御を行い、
前記ポイント記憶ステップでは、前記端末装置の制御手段が、前記記憶手段に記憶されている前記ポイントのポイント数から、前記再生ステップで視聴制御或いは聴取制御した前記ポイント交換コンテンツに対応するポイント数を減算処理すること
を特徴とするコンテンツ配信方法。
【請求項１２】
請求項8に記載のコンテンツ配信方法であって、
前記端末装置に対して操作コマンドを無線送信する無線送信手段と、前記端末装置から無線送信された所定の情報を受信する無線受信手段とを備えた携帯端末装置から、前記CMコンテンツの表示中に前記無線送信手段を介して送信された当該CMコンテンツのアクセス先に対するアクセスを指定する操作コマンドを、前記端末装置の操作コマンド受信手段で受信する操作コマンド受信ステップと、
前記操作コマンド受信ステップにおいて前記CMコンテンツのアクセス先に対するアクセスを指定する操作コマンドを受信した場合、この表示中のCMコンテンツに付加されているアクセス情報を、前記端末装置の無線送信手段を介して前記携帯端末装置に無線送信するアクセス情報送信ステップと、
前記携帯端末装置が、前記アクセス情報送信ステップにおいて送信された前記アクセス情報を前記無線受信手段で受信するアクセス情報受信ステップと、
前記携帯端末装置が、前記アクセス情報受信ステップで受信した前記アクセス情報に基づいて、前記CMコンテンツに対応するアクセス先に対してアクセスを行うアクセスステップと
を有することを特徴とするコンテンツ配信方法。
【請求項１３】
請求項12に記載のコンテンツ配信方法であって、
前記携帯端末装置が備える現在位置検出手段で、当該携帯端末装置の現在位置を検出し、この現在位置情報を前記端末装置に送信する現在位置送信ステップを有し、
前記アクセス情報送信ステップでは、前記表示中のCMコンテンツに付加されているアクセス情報が複数存在する場合、前記端末装置の制御手段が、この複数のアクセス情報の中から、前記現在位置送信ステップで前記携帯端末装置から送信された現在位置情報で示される該携帯端末装置の現在位置に地理的に近接するアクセス先を示すアクセス情報を選択して前記無線送信手段を介して前記携帯端末装置に無線送信し、
前記アクセス情報受信ステップでは、前記携帯端末装置が、前記アクセス情報送信ステップにおいて前記端末装置から送信された当該携帯端末装置の現在位置に地理的に近接するアクセス先を示すアクセス情報を前記無線受信手段で受信し、
前記アクセスステップでは、前記携帯端末装置が、前記アクセス情報受信ステップで受信した前記アクセス情報に基づいて、前記CMコンテンツに対応するアクセス先に対してアクセスを行うこと
を特徴とするコンテンツ配信方法。
【請求項１４】
請求項13に記載のコンテンツ配信方法であって、
前記携帯端末装置は、音声による通話機能を備え、
前記アクセス情報は、前記通話を確立するための電話番号であり、
前記アクセスステップにおけるアクセスは、前記電話番号へダイヤルすることによって確立される音声通話である
ことを特徴とするコンテンツ配信方法。
【発明の詳細な説明】
【技術分野】
【０００１】
本発明は、コンテンツ配信装置から配信された所定のコンテンツデータを、いわゆるピアツーピア（Peer  to  Peer）システム等、ネットワークを介して相互に接続された複数の端末装置を通じて送受信するコンテンツ配信システム及びコンテンツ配信方法に関する。
【背景技術】
【０００２】
今日において、ネットワーク上に存在する多数のパーソナルコンピュータ装置同士を相互に接続し、各パーソナルコンピュータ装置間で直接的に情報の送受信を行うことで、ファイルや演算能力等の情報資源の共有化を図る、いわゆる「ピアツーピア（Peer  to  Peer＝P2P）」と呼ばれるネットワークシステムが知られている。
【０００３】
特開2005-85146号の公開特許公報（特許文献1）には、このピアツーピアのネットワークシステムを用いて映像コンテンツを効率的に配信するコンテンツ配信システムが開示されている。
【０００４】
このコンテンツ配信システムの場合、映像コンテンツの配信を希望する端末装置（クライアント）は、所望の映像コンテンツの配信要求をインターネットやLAN等のネットワークを介してマルチキャスト送信する。この配信要求は、ネットワークに接続された映像配信サーバ及び他の端末装置で受信される。
【０００５】
映像配信サーバは、この配信要求を受信すると、映像の配信が可能であることを示す応答を、前記配信要求を行った端末装置に対して返信する。また、他の端末装置は、この配信要求のなされた映像コンテンツを以下に説明する二次キャッシュにキャッシュしており、配信が可能である場合に、前記配信要求を行った端末装置に対して応答を行う。
【０００６】
配信要求を行った端末装置は、この映像配信サーバ及び他の端末装置から返信された前記応答を受信時刻で比較し、この応答の受信時刻が最も早い装置（前記映像配信サーバ或いは前記他の端末装置）に対して、映像コンテンツの配信要求を行う。この配信要求のなされた前記映像配信サーバ或いは前記他の端末装置は、前記配信要求を行った端末装置に対してLANを介して映像コンテンツを配信する。
【０００７】
前記配信要求を行った端末装置は、この配信された映像コンテンツを受信すると、まず、一次キャッシュにキャッシュし、このキャッシュしたコンテンツをデコーダで順次再生すると共に、この映像コンテンツを配信用として二次キャッシュにキャッシュする。そして、他の端末装置からの配信要求を受信した際に、この二次キャッシュにキャッシュしておいた映像コンテンツを、該他の端末装置に配信する。これにより、ネットワーク上の機器配置に影響されることなく映像コンテンツの効率的な配信を図っている。
【特許文献１】特開2005-85146号公報（第7頁〜第9頁：図1、図2、図5）
【発明の開示】
【発明が解決しようとする課題】
【０００８】
ここで、特許文献1に開示されているコンテンツ配信システム等のピアツーピアのネットワークシステムの場合、ネットワーク上の一方の端末装置を介して他方の端末装置にコンテンツを転送するシステムであるため、ネットワーク上の各端末装置は、配信するコンテンツの中継機器として機能する。このため、起動状態となっていない端末装置（＝停止状態となっている端末装置）が多くなると、コンテンツの中継を図る端末装置が少なくなり、システムとしての動作が不安定となる問題がある。
【０００９】
本発明は上述の課題に鑑みてなされたものであり、コンテンツ配信装置から配信された所定のコンテンツデータを、ネットワークを介して相互に接続された複数の端末装置を通じて送受信する際に、配信するコンテンツの中継機器となる、より多くの端末装置を起動状態に保持することができ、システム動作の安定化を図ることができるコンテンツ配信システム及びコンテンツ配信方法の提供を課題とする。
【課題を解決するための手段】
【００１０】
本発明は、上記課題を解決すべく、コンテンツ配信装置から配信された所定のコンテンツデータを、ネットワークを介して相互に接続された複数の端末装置を通じて送受信する際に、前記コンテンツ配信装置から広告用或いは宣伝用のCMコンテンツが配信されると、これを前記端末装置の制御手段が記憶手段に記憶制御する。そして、前記端末装置の非操作時間検出手段が、当該端末装置が非操作状態となってから経過した時間を検出し、この経過時間が所定時間となった際に、前記端末装置の制御手段が、前記記憶手段に記憶されている前記CMコンテンツを読み出して表示手段に表示制御する。これにより、端末装置が非操作状態となったタイミングで広告用或いは宣伝用のCMコンテンツを表示させることができる。
【００１１】
なお、本発明において、前記コンテンツ配信装置は、視聴を要求する端末装置であるクライアント端末装置に対し、当該要求に係るコンテンツデータを再生するための再生用復号鍵を送信し、前記クライアント端末装置は、前記要求に係るコンテンツデータの一部又は全部を保持する他の端末装置のリストを、該他の端末装置又は前記コンテンツ配信装置から取得し、前記リストの中から任意の端末装置をパートナー端末装置として選択し、選択したパートナー端末装置又は前記コンテンツ配信装置から要求に係るコンテンツデータの一部又は全部を受信して、当該コンテンツデータを再構成し、前記再生用復号鍵により再生して視聴し、前記記憶手段及び制御手段は、少なくとも前記パートナー端末装置となる端末装置に備えられ、前記コンテンツデータの配信中に前記CMコンテンツの表示を行う。
【００１２】
また、本発明は、前記CMコンテンツの表示時間に対応するポイント数が記憶された時間対応ポイント数テーブルを備えており、前記表示手段に対して前記CMコンテンツを表示して表示時間をカウントしておき、端末装置が前記非操作状態から復帰した際に、このカウントした前記表示時間に対応するポイント数を、前記時間対応ポイント数テーブルから検出する。そして、この時間対応ポイント数テーブルから検出されたポイント数を、前記記憶手段に記憶されているポイントのポイント数に対して積算して記憶制御する。
【００１３】
これにより、端末装置側でCMコンテンツを表示した時間に応じてポイントを蓄積することができるため、端末装置側で行うCMコンテンツの表示を、その端末装置のユーザにとって有意義なものとすることができる。
【００１４】
コンテンツ配信装置からネットワークを介して配信された所定のコンテンツを、前記ネットワークを介して相互に接続された複数の端末装置間で直接的に送受信するコンテンツ配信システムにおいては、各端末装置がコンテンツ配信のための中継機器となるため、起動状態となっている端末装置が多いほど、配信されるコンテンツの流れがスムーズとなりシステムが安定化する。
【００１５】
本発明の場合、端末装置側で行うCMコンテンツの表示を、その端末装置のユーザにとって有意義なものとすることができるため、ユーザが、長時間にわたって端末装置を起動状態としておく可能性を高めることができる。従って、前記中継機器として機能する端末装置をより多く確保することができ、前記システムの安定化を図ることができる。
【００１６】
また、本発明は、コンテンツ配信装置が、所定数のポイントを付加したコンテンツを配信し、端末装置の制御手段が、このコンテンツの視聴制御、或いは聴取制御を行った際に、当該コンテンツに付加されているポイントのポイント数を、記憶手段に記憶されているポイントのポイント数に積算する。これにより、ユーザは、配信されたコンテンツを視聴或いは聴取しただけでポイントを蓄積することができるため、コンテンツ配信装置から配信するコンテンツの視聴或いは聴取を促進することができる。従って、前記コンテンツの視聴或いは聴取のために、より多くの端末装置を起動状態とさせることができるため、前記システムの安定化を図ることができる。
【００１７】
また、本発明は、前記コンテンツ配信装置が、所定のポイント数と交換することで視聴可能或いは聴取可能となるポイント交換コンテンツを前記ネットワークを介して前記端末装置に配信し、前記端末装置の制御手段は、前記ポイント交換コンテンツの視聴制御或いは聴取制御を行った際に、前記記憶手段に記憶されている前記ポイントのポイント数から、このポイント交換コンテンツに対応するポイント数を減算処理する。これにより、ポイント交換コンテンツの製作者に対する利益還元を行うことができる。
【００１８】
また、本発明は、携帯端末装置から、表示中のCMコンテンツのアクセス先に対するアクセスを指定する操作コマンドを端末装置に送信すると、端末装置が、この表示中のCMコンテンツに付加されているアクセス情報を、前記携帯端末装置に返信する。そして、携帯端末装置が、この端末装置から返信されたアクセス情報に基づいて、CMコンテンツに対応するアクセス先に対してアクセスを行う。
【００１９】
また、本発明は、前記携帯端末装置が備える現在位置検出手段で、当該携帯端末装置の現在位置を検出して端末装置に送信する。端末装置は、CMコンテンツに付加されているアクセス情報が複数存在する場合、この複数のアクセス情報の中から、携帯端末装置から受信した該携帯端末装置の現在位置に地理的に近接するアクセス先に対応するアクセス情報を選択し、これを携帯端末装置に返信する。携帯端末装置は、このアクセス情報に基づいてアクセスを行うことで、当該携帯端末装置の地理的に近い位置に存在するアクセス先に対してアクセスを図る。
【００２０】
なお、前記携帯端末装置は、音声による通話機能を備え、前記アクセス情報は、前記通話を確立するための電話番号であり、前記アクセスは、前記電話番号へダイヤルすることによって確立される音声通話とすることができる。
【発明の効果】
【００２１】
本発明は、コンテンツ配信装置からネットワークを介して配信された所定のコンテンツを、前記ネットワークを介して相互に接続された複数の端末装置間で直接的に送受信するコンテンツ配信システムにおいて、配信するコンテンツの中継機器となる、より多くの端末装置を起動状態に保持することができ、当該システムの安定化を図ることができる。
【発明を実施するための最良の形態】
【００２２】
本発明は、ピアツーピアのネットワークシステム形態で所定のコンテンツの配信を行うコンテンツ配信システムに適用することができる。
【００２３】
［システム構成］
本実施形態に係るコンテンツ配信システムは、図1に示すようにインターネット等の公衆回線網や携帯電話機や固定電話機の通信事業者網等で形成されたネットワーク1に接続された事業者サーバ装置2と、複数の端末装置3と、後に説明するCMコンテンツの広告・宣伝主の店舗に設けられたサーバ装置4及び固定電話機或いは携帯電話機等の電話機5と、前記CMコンテンツに対応して端末装置3の遠隔操作等を行うための各ユーザの携帯電話機6と、この各携帯電話機6と無線通信を行うための各基地局7とを有している。
【００２４】
事業者サーバ装置2には、例えば複製の制限や電子透かし等の著作権を保護したコンテンツの配信が可能なDRMライセンスサーバ装置8（DRM：Digital  Rights  Management）と、コンテンツの配信を行うユーザのユーザ認証処理や課金処理等を行う課金サーバ装置9とを有している。
【００２５】
（端末装置の構成）
端末装置3は、CPUを備えた演算処理装置であり、パーソナルコンピュータ等の汎用コンピュータや、機能を特化させた専用装置により実現することができ、モバイルコンピュータやセットトップボックス（STB）、パーソナルビデオレコーダ装置（PVR）、ハードディスクを備えた家庭用ゲーム機等を用いることができる。
【００２６】
特に、本実施形態に係る端末装置3は、いわゆるピアツーピアのネットワークシステム形態により、事業者サーバ装置2が配信するコンテンツを受信し、視聴する機能を備えている。具体的は、図2（a）及び（b）に示すように、端末装置3（クライアント端末）は、事業者サーバ装置2に対して視聴要求を送信し、事業者サーバ装置2から、視聴要求に係るコンテンツデータD1を再生するための再生用復号鍵D2を受信するとともに、前記要求に係るコンテンツデータD1の一部又は全部を保持する他の端末装置のリストD31及びD32を、事業者サーバ装置2又は他の端末装置3（パートナー端末）から取得する。そして、クライアント端末装置3は、リストD31又はD32の中から任意の端末装置をパートナー端末装置として選択して配信依頼を行い、選択したパートナー端末装置3又は事業者サーバ装置2から要求に係るコンテンツデータD1の一部又は全部を受信して、当該コンテンツデータD1を再構成し、再生用復号鍵D2により再生して視聴する。パートナー端末に選択された端末装置3は、事業者サーバ装置2から受信し、自機のバッファメモリーに保持されているコンテンツデータD1を、配信依頼に係るクライアント端末装置3に対して、中継配信する。
【００２７】
この端末装置3は、図3（a）に示すように当該端末装置3を前記ネットワーク1に接続するためのネットワークインターフェイス11（ネットワークIF）と、事業者サーバ装置2や他の端末装置3から配信されたコンテンツを図1に示すモニタ装置10に出力するためのモニタIF12と、前記携帯電話機6との間で無線通信を行うための赤外線送受信部13とを有している。
【００２８】
また、端末装置3は、モニタ装置10にCMコンテンツを表示していた時間をカウントする表示時間カウント部14と、CMコンテンツを表示していた時間に対して付与されるポイント数が記憶された時間対応ポイント数テーブル15と、当該端末装置3固有の機器識別情報（本実施形態では、RFID（Radio  Frequency  Identification））が記憶されたRFIDタグ16と、事業者サーバ装置2から配信された映像コンテンツ、音声コンテンツ、CMコンテンツ等を記憶すると共に、以下に説明するポイント数、及びCMコンテンツに付加されている広告主のアクセス先に対応するアクセス情報等を記憶するメモリ17と、非接触ICカードと非接触通信を行うことで、該非接触ICカードに対して電子マネー情報等を読み書きする非接触ICリーダライタ部19と、当該端末装置3全体の制御を行う制御部18とを有している。
【００２９】
前記メモリ17には、端末装置3がパートナー端末装置として機能する際に、中継に係るコンテンツデータD1をバッファリングするバッファ記憶装置としての役割を果たすとともに、CMコンテンツをモニタ装置10に表示していた時間に応じて付与されるポイントや、ポイントが付加されているポイント付加コンテンツの視聴、聴取を行うことで付与されるポイントが積算されて記憶されるようになっている。また、事業者サーバ装置2からは、所定ポイント数と交換に視聴や聴取が可能となるポイント交換コンテンツも配信されるようになっており、このポイント交換コンテンツを視聴或いは聴取した場合は、メモリ17に記憶されているポイント数から、このポイント交換コンテンツに対応するポイント数が減算処理されるようになっている。
【００３０】
（携帯電話機の構成）
携帯電話機6は、図3（b）に示すように前記基地局7との間で通信を行うためのアンテナ21及び通信回路22と、受話音声や着信音等の音声出力を得るためのスピーカ部23と、送話音声等を集音するためのマイクロホン部24と、所定の入力操作を行うための操作部25と、大画面の液晶表示部及び小画面の液晶表示部を備えた表示部26と、所望の被写体の静止画像や動画像を撮像するためのカメラ部27と、当該携帯電話機6の現在位置を検出するGPSセンサ28（Global  Positioning  System）とを有している。
【００３１】
また、この携帯電話機6は、前記端末装置3との間で赤外線通信を行うための赤外線送受信部29と、コンテンツの視聴/聴取代金の自動支払いを行うための電子マネー情報等が記憶された非接触ICカード30と、通信プログラムやリモートコントローラアプリケーションプログラム等の各種アプリケーションプログラムの他、電話帳、アドレス帳、スケジュール帳、送受信された携帯メールの文章情報等が記憶されるメモリ31と、当該携帯電話機6全体の動作を制御する制御部32と、前記端末装置3に設けられているRFIDタグ16からRFIDを読み取るためのRFIDリーダ部33とを有している。
【００３２】
なお、この例では、端末装置3及び携帯電話機6に赤外線送受信部13、29を設け、両者の間で赤外線通信を行うこととして説明を進めるが、この赤外線通信の代わりに、RF通信（RF：Radio  Frequency）やブルートゥース（Bluetooth）等による近距離無線通信を行うようにしてもよい。
【００３３】
図4（a）、（b）に、この携帯電話機6の外観の一例を示す。この図4（a）、（b）に示すように、この携帯電話機6は、上筐体51の一端部及び下筐体52の一端部をヒンジ機構53により、互いに回動自在に接続することで形成された、いわゆる折り畳み式の携帯電話機となっている。
【００３４】
上筐体51には、図4（a）に示すように前記表示部26である大画面の液晶表示部及び小画面の液晶表示部のうち、小画面の液晶表示部（サブディスプレイ）と、前記カメラ部27と、前記操作部25の一部として右クリック操作を可能とする右キー41、左クリック操作を可能とする左キー42、モニタ装置10に表示されたカーソルの移動操作を行うための、十字キー、ジョグダイヤル、トラックボール等の移動操作キー43とが設けられている。また、下筐体52には、図4（b）に示すように前記端末装置3との間で赤外線通信を行うための赤外線送受信部29が設けられている。
【００３５】
（RFIDの登録）
このような携帯電話機6を端末装置3のリモートコントローラとして用いる場合、この場合に遠隔操作対象となる端末装置3を当該携帯電話機6に登録する。具体的には、この遠隔操作対象の登録を行う場合、ユーザはメモリ31に記憶されているリモートコントローラアプリケーションプログラムを起動し、このリモートコントローラアプリケーションプログラムを起動することで表示部26に表示される操作メニューの中から遠隔操作対象の登録メニューを選択する。この選択がなされると、制御部32は、RFIDリーダ部33を起動状態に制御する。
【００３６】
ユーザは、RFIDリーダ部33が起動状態とされると、図5に示すように携帯電話機6を端末装置3に近接させる。これにより、例えば非接触無線通信等のRF通信により、図3（a）に示す端末装置3のRFIDタグに記憶されているRFIDが、図3（b）に示す当該携帯電話機6のRFIDリーダ部33により読み取られる。携帯電話機6の制御部32は、このRFIDリーダ部33により読み取られた端末装置3のRFIDをメモリ31に記憶制御する。これにより、当該携帯電話機6の遠隔操作対象となる端末装置3の登録が完了し、以後、携帯電話機6を用いた端末装置3の遠隔操作が可能となる。
【００３７】
［システム動作］
（通常のコンテンツの配信動作）
以上の構成を有するシステムを動作させることによって、本発明のコンテンツ配信方法を実施することができる。すなわち、このコンテンツ配信システムは、上述したように、ピアツーピアのネットワークシステム形態で所定のコンテンツの配信を行う。具体的には、コンテンツD1の配信を希望するユーザは、自分の端末装置3を操作することで、この所望のコンテンツを記憶している他の端末装置3（パートナー端末装置）に対してピアツーピア配信を依頼する。これにより、配信要求を行った端末装置3に対して、他の端末装置3からコンテンツが配信されるのであるが、このコンテンツには、暗号化鍵により暗号化処理が施されている。
【００３８】
このため、コンテンツを受信したユーザは、自分の端末装置3を介して事業者サーバ装置2の課金サーバ装置9に、このコンテンツの復号化鍵D2の配信要求を行う。課金サーバ装置9は、この配信要求がなされると、ユーザ認証処理を行うと共に、当該課金サーバ装置9に対するアクセス情報に基づいて、復号化鍵D2の配信要求を行ったユーザに対して課金処理を行う。そして、DRMライセンスサーバ装置8に対してアクセスし、このユーザの端末装置3に対する復号化鍵D2の配信要求を行う。これにより、DRMライセンスサーバ装置8から前記ユーザの端末装置3に対して復号化鍵D2が配信され、端末装置3において、この復号化鍵D2に基づいてコンテンツが復号化され再生処理される。
【００３９】
（CMコンテンツの配信）
次に、このようなピアツーピアのネットワークシステムの場合、配信するコンテンツの中継機器（パートナー）として機能する各ユーザの端末装置3を、より長時間にわたって起動状態とさせておく必要がある。このため、当該コンテンツ配信システムの場合、以下に説明するCMコンテンツを各端末装置3に配信し、ユーザは、このCMコンテンツに基づいて種々のサービスを受けられるようにすることによって、端末の起動状態を維持させるインセンティブを与える。
【００４０】
具体的には、事業者サーバ装置2のDRMライセンスサーバ装置8は、例えば深夜、早朝等の所定のタイミングで、CMコンテンツを各端末装置3に配信する。このCMコンテンツを受信すると、各端末装置3の制御部18は、メモリ17に保存する。これにより、夜中のうち、或いはユーザが仕事に行っている間に、ユーザに気付かれることなくCMコンテンツを各端末装置3に配信することができる。制御部18は、このCMコンテンツを以下のタイミングでモニタ装置10に表示制御する。
【００４１】
（スクリーンセーバー機能に基づくCMコンテンツの表示動作）
各端末装置3の制御部18は、CMコンテンツをメモリ17に保存制御すると、この保存したタイミングで、当該端末装置3が非操作状態となってから経過した時間のカウントを開始する。そして、この当該端末装置3が、上記ピアツーピアシステムにより、コンテンツを中継可能となった後に、非操作状態となってから所定時間の経過を検出すると、制御部18は、スクリーンセーバー機能を起動し、メモリ17に保存したCMコンテンツを読み出し、これをモニタ装置10に表示制御する。これにより、例えば図4に示すようにCMコンテンツがモニタ装置10に表示されることとなる。
【００４２】
次に、モニタ装置10にCMコンテンツが表示されると、図3（a）に示す表示時間カウント部14は、このCMコンテンツの表示時間のカウントを開始する。表示時間カウント部14は、制御部18により、ユーザにより当該端末装置3の操作が開始されたことが検出されたタイミングで、CMコンテンツの表示時間のカウントを停止する。そして、このカウント値を制御部18に供給する。
【００４３】
制御部18は、表示時間カウント部14でカウントされた前記CMコンテンツの表示時間に基づいて時間対応ポイント数テーブル15を参照し、この表示時間カウント部14でカウントされた表示時間に対応するポイント数を読み出す。そして、このポイント数のポイントをメモリ17に記憶制御する。
【００４４】
各端末装置3は、このように前記スクリーンセーバー機能に基づいてCMコンテンツをモニタ装置10に表示すると共に、この表示時間に対応するポイント数を検出し、これをメモリ17に記憶制御する。これにより、CMコンテンツが表示される毎に、その表示時間に応じたポイント数がメモリ17に積算されるかたちで蓄積されていくこととなる。
【００４５】
（所定のコンテンツの視聴/聴取によるポイントの加減算処理）
次に、このコンテンツ配信システムの場合、各端末装置3のメモリ17に蓄積されるポイントは、ポイントが付加されているポイント付加コンテンツの視聴、聴取を行うことでさらに加算され、或いは所定ポイント数と交換に視聴や聴取が可能となるポイント交換コンテンツの視聴、聴取を行うことで減算されるようになっている。
【００４６】
具体的には、DRMライセンスサーバ装置8は、所定のコンテンツに対して所定のポイント数のポイントを付加して配信するのであるが、各端末装置3の制御部18は、このポイント付加コンテンツの視聴制御或いは聴取制御を行うと、このポイント付加コンテンツに付加されているポイントのポイント数をメモリ17に記憶されているポイントのポイント数に加算処理する。これにより、ユーザは、所定のコンテンツの視聴或いは聴取を行うだけで、メモリ17に記憶されているポイント数を増やすことができる。
【００４７】
これに対して、DRMライセンスサーバ装置8は、所定ポイント数と交換に視聴や聴取が可能となるポイント交換コンテンツの配信も行う。各端末装置3の制御部18は、このポイント交換コンテンツの視聴制御或いは聴取制御を行うと、このポイント交換コンテンツの視聴或いは聴取の代価となるポイント数を、メモリ17に記憶されているポイントのポイント数から減算処理する。そして、制御部18は、この減算処理したポイント数を示す情報をDRMライセンスサーバ装置8に送信する。
【００４８】
DRMライセンスサーバ装置8は、各端末装置3の制御部18から送信される、前記ポイント交換コンテンツの視聴或いは聴取の代価となるポイント数を集計する。事業者サーバ装置2の事業者は、このDRMライセンスサーバ装置8で集計されたポイント数に応じた対価を、前記ポイント交換コンテンツの製作者に対して支払う。これにより、各ユーザからポイントの回収を行い、ポイント交換コンテンツの製作者に対して利益還元を行うことができる。
【００４９】
（CMコンテンツに基づくサービスの提供）
次に、各ユーザは、携帯電話機6をリモートコントローラとして用いて端末装置3を遠隔操作することで、モニタ装置10に表示されるCMコンテンツに基づいて種々のサービスを受けることができる。
【００５０】
一例ではあるが、モニタ装置10に表示されたCMコンテンツが飲食物の宅配サービスのCMコンテンツであった場合、ユーザは、所望のメニューを選択して飲食物の宅配の注文をすることができる。
【００５１】
具体的には、この場合、CMコンテンツの表示画面に対して、図4に示すように「メニュー表示ボタン」が表示される。ユーザは、複数あるメニューの中から所望のメニューを選択する場合、上述のようにRFIDの登録を行った携帯電話機6の移動操作キー43を操作する。この移動操作キー43が操作されると、図3（b）に示す当該携帯電話機6の制御部32は、この移動操作キー43の操作に対応する操作コマンドを赤外線送受信部29を介して端末装置3に送信する。端末装置3は、図3（a）に示す赤外線送受信部13で、この操作コマンドを受信すると、制御部18が、表示画面上に表示しているカーソルを該操作コマンドに応じて移動表示制御する。
【００５２】
ユーザは、移動操作キー43を操作することで、表示画面上のカーソルを「メニュー表示ボタン」の表示領域に移動操作し、右キー41或いは左キー42をクリック操作する。携帯電話機6の制御部32は、この右キー41或いは左キー42のクリック操作に対応する操作コマンドを赤外線送受信部29を介して端末装置3に送信する。端末装置3の制御部18は、赤外線送受信部13で、この操作コマンドを受信すると、図6に示すような各種メニューの表示画面をモニタ装置10に表示制御すると共に、広告主或いは宣伝主に対して電話注文を行うことを意味する「電話ボタン」をモニタ装置10に表示制御する。
【００５３】
ユーザは、移動操作キー43を操作することで、モニタ装置10に表示された各種メニューの中から所望のメニューを選択し、この選択したメニューを注文する場合、移動操作キー43を操作することで、モニタ装置10に表示された「電話ボタン」にカーソルを移動操作して、この場合の決定キーとなる左キー42（或いは右キー41）をクリック操作する。
【００５４】
携帯電話機6の制御部32は、左キー42がクリック操作されると、この操作コマンドを上述と同様に赤外線送信する。端末装置3の制御部18は、「電話ボタン」にカーソルを移動表示した状態で、携帯電話機6から左キー42がクリック操作されたことを示す操作コマンドを受信すると、現在選択中のメニューの注文が指定されたものと認識し、携帯電話機6に対して、「当該携帯電話機6の電話番号」及び「当該携帯電話機6の現在位置」の配信要求を送信する。
【００５５】
携帯電話機6の制御部32は、この配信要求を受信すると、メモリ31に記憶されている自局の携帯電話番号を読み出して端末装置3に送信すると共に、GPSセンサ28により検出された当該携帯電話機6の現在位置を端末装置3に送信する。
【００５６】
モニタ装置10に表示されるCMコンテンツには、広告主或いは宣伝主の店舗の所在地、電話番号、メールアドレス、クーポン情報等がアクセス情報として付加されている。また、店舗が複数存在する場合は、各店舗毎の前記アクセス情報が付加されている。このアクセス情報は、上述のように端末装置3がCMコンテンツを受信した際にメモリ17に記憶されるようになっている。
【００５７】
このため、端末装置3は、携帯電話機6から現在位置を受信すると、メモリ17に記憶されている各店舗毎のアクセス情報に含まれる所在地に基づいて、この携帯電話機6の現在位置に最も近い店舗を検出し、この最も近い店舗の電話番号を携帯電話機6に送信する。
【００５８】
また、端末装置3は、これと共に、ユーザにより選択されたメニューに対してクーポンが付加されている場合は、この「クーポン情報」、携帯電話機6から受信した「携帯電話番号」及び携帯電話機6の「現在位置」を示す電子メールを作成し、これを店舗のサーバ装置4に送信する。これにより、この電子メールが図1に示す基地局7及びネットワーク1を介して店舗のサーバ装置4に送信されることとなる。
【００５９】
一方、携帯電話機6の制御部32は、このような端末装置3の動作と並行して、通信回路22を通信制御することで、端末装置3から受信した当該携帯電話機6の現在位置に最も近い店舗の電話番号に自動的に電話発信を行う。これにより、図1に示す店舗の電話機5（固定電話機或いは携帯電話機）に対して電話が着信し、携帯電話機6のユーザは店舗の担当者と電話による会話を行い所望のメニューの宅配を注文するのであるが、上述のように店舗のサーバ装置4には電子メールにより、「クーポン情報」、携帯電話機6の「携帯電話番号」及び携帯電話機6の「現在位置」が送信されている。
【００６０】
このため、店舗側では、ユーザと電話で会話する前に、電子メールに記載されている「クーポン情報」に基づいて「クーポンの適用の有無」が判断でき、また、携帯電話機6の「携帯電話番号」に基づいてユーザの本人確認ができ、さらに携帯電話機6の「現在位置」に基づいて注文主の住所（配達先住所）を認識することができる。このため、携帯電話機6のユーザは、店舗の担当者に対して宅配を希望するメニューのみを口頭で伝えるだけで、この注文したメニューの商品が、ユーザの住所（＝携帯電話機6の現在位置）に配達されることとなる。
【００６１】
（自動決済）
次に、端末装置3の制御部18は、モニタ装置10に表示している前記「電話ボタン」がクリック操作されたことを示す操作コマンドを携帯電話機6から受信すると、図7に示すようにモニタ装置10に対して、ユーザが注文した商品に対する決済方法の選択画面を表示制御する。この図7に示す例は、モニタ装置10に対して、商品が到着した際に現金やキャッシュカードで支払を行う「着払い」の選択ボタンと、電子マネーで支払を行う「電子マネー決済」の選択ボタンが表示されている例である。
【００６２】
ユーザは、この決済方法の選択画面が表示されると、携帯電話機6の移動操作キー43を操作することで表示画面上のカーソルを移動操作し、前記いずれかの支払方法を選択する。
【００６３】
支払方法として「着払い」を選択した場合、この情報は、前記電子メールにより端末装置3から店舗のサーバ装置4に送信される。これにより、店舗側では、商品を宅配した際に、ユーザから現金或いはキャッシュカードで代金を徴収することとなる。
【００６４】
これに対して、支払方法として「電子マネー決済」を選択した場合、ユーザは、自分の携帯電話機6に設けられている非接触ICカード30を、端末装置3の非接触ICリーダライタ部19に近接させる。これにより、端末装置3側に設けられている非接触ICリーダライタ部19により、携帯電話機6に設けられている非接触ICカード30が起動され、当該非接触ICカード30の制御部37と、非接触ICリーダライタ部19とが通信状態となる。そして、非接触ICカード30の制御部37により、商品の代金に対応する電子マネー情報がメモリ36から読み出され、非接触ICアンテナ35を介して、端末装置3の非接触ICリーダライタ部19に送信される。
【００６５】
端末装置3の制御部18は、この非接触ICリーダライタ部19で受信した前記商品の代金に対応する電子マネー情報を、通信回路22を介して事業者サーバ装置2の課金サーバ装置9に送信する。課金サーバ装置9は、この電子マネー情報を売上情報として店舗のサーバ装置4に送信する。これにより、注文した商品の自動決済が完了する。
【００６６】
（変形例1）
以上の例は、端末装置3に表示された商品メニューから所望のメニューを選択して購入する例であったが、以下、商品やカタログに付されている商品バーコードや商品IDを携帯電話機6で読み取って端末装置3に送信することで、所望の商品やコンテンツを購入する例を説明する。
【００６７】
この場合、ユーザは、携帯電話機6のカメラ部27を起動し、図8或いは図9に示すように商品に付されている商品バーコード（1次元バーコード、2次元バーコード等）、或いは手元のカタログに記載されている所望の商品の商品バーコードを撮像する。この商品バーコードが撮像されると、制御部32は、撮像画像に基づいて前記撮像されたバーコードを解析処理してバーコード情報を形成し、これを端末装置3に赤外線送信制御する。
【００６８】
また、ユーザは、手元にある商品に商品IDタグが付されている場合、携帯電話機6のRFIDリーダ部33を起動して前記商品IDタグから商品IDを読み取る。この商品IDが読み取られると、制御部32は、商品ID情報を形成し、これを端末装置3に赤外線送信制御する。
【００６９】
端末装置3は、携帯電話機6から送信された商品バーコード或いは商品IDを通信事業者サーバ装置2のDRMライセンスサーバ装置8に送信する。DRMライセンスサーバ装置8は、図8に示すように各商品バーコード或いは各商品IDに対応する各種商品情報が記憶された商品データベース55（商品DB）を有しており、この商品DB55から、端末装置3から送信された商品バーコード或いは商品IDに対応する商品情報を読み出して端末装置3に返信する。端末装置3は、この商品情報を受信すると、モニタ装置10に表示する。これにより、ユーザの携帯電話機6で読み取られた商品バーコード或いは商品IDに対応する商品の商品情報がモニタ装置10に表示されることとなる。
【００７０】
図8は、モニタ装置10に表示された商品情報の表示例を示している。この例では、モニタ装置10に対して、その商品の動画コマーシャル映像の閲覧を指定するための「動画コマーシャルボタン」、その商品の購入を指定するための「商品購入ボタン」、その商品の取扱説明書の表示を指定するための「取扱説明書ボタン」、その商品の販売や製造を行っている会社の会社情報の表示を指定するための「会社情報ボタン」、及び所望のコンテンツのダウンロードを指定するための「ダウンロードボタン」がそれぞれ表示された例を示している。
【００７１】
同様に、図9は、モニタ装置10に表示された有料コンテンツの視聴画面の表示例を示している。この図9は、映像、音楽、ゲームプログラムが有料コンテンツとして販売されている場合の表示例であり、モニタ装置10に対して、その有料コンテンツの視聴（＝商品の購入）を指定するための「購入ボタン」が表示された例を示している。
【００７２】
ユーザが、映像コンテンツ又は音楽コンテンツの有料視聴、或いはゲームプログラムを購入する場合、携帯電話機6の移動操作キー43等を操作して、図9に示す表示画面上の「購入ボタン」を選択操作する。この選択操作がなされると、端末装置3及びDRMライセンスサーバ装置8を介して所定の暗号化鍵により暗号化されたデジタルコンテンツが、そのデジタルコンテンツを購入したユーザの端末装置3にピアツーピア配信される。そして、課金サーバ装置9による課金処理と引き替えに復号化鍵が配信され、端末装置3において復号化処理されることで前記デジタルコンテンツ視聴或いは再生が可能となる。
【００７３】
これに対して、購入する商品が商品発送を伴う商品である場合、ユーザは、携帯電話機6の移動操作キー43等を操作して、図8に示す表示画面上の「商品購入ボタン」を選択操作する。この選択操作がなされると、端末装置3は、携帯電話機6に対して、「当該携帯電話機6の電話番号」及び「当該携帯電話機6の現在位置」の配信要求を送信する。
【００７４】
携帯電話機6の制御部32は、この配信要求を受信すると、メモリ31に記憶されている自局の携帯電話番号を読み出して端末装置3に送信すると共に、GPSセンサ28により検出された当該携帯電話機6の現在位置を端末装置3に送信する。
【００７５】
端末装置3は、携帯電話機6から現在位置を受信すると、メモリ17に記憶されている各店舗毎のアクセス情報に含まれる所在地に基づいて、この携帯電話機6の現在位置に最も近い店舗を検出し、この最も近い店舗の電話番号を携帯電話機6に送信する。
【００７６】
また、端末装置3は、これと共に、携帯電話機6から受信した「携帯電話番号」及び携帯電話機6の「現在位置」を示す電子メールを作成し、これを店舗のサーバ装置4に送信する。
【００７７】
一方、携帯電話機6の制御部32は、このような端末装置3の動作と並行して、通信回路22を通信制御することで、端末装置3から受信した当該携帯電話機6の現在位置に最も近い店舗の電話番号に自動的に電話発信を行う。これにより、図1に示す店舗の電話機5（固定電話機或いは携帯電話機）に対して電話が着信し、携帯電話機6のユーザは店舗の担当者と電話による会話を行い所望の商品の宅配を注文する。
【００７８】
上述のように店舗のサーバ装置4には電子メールにより、携帯電話機6の「携帯電話番号」及び携帯電話機6の「現在位置」が送信されているため、店舗側では、ユーザと電話で会話する前に、電子メールに記載されている携帯電話機6の「携帯電話番号」に基づいてユーザの本人確認ができ、さらに携帯電話機6の「現在位置」に基づいて注文主の住所（配達先住所）を認識することができる。このため、携帯電話機6のユーザは、店舗の担当者に対して配達を希望する商品のみを口頭で伝えるだけで、この注文した商品が、ユーザの住所（＝携帯電話機6の現在位置）に配達されることとなる。
【００７９】
（変形例2）
次に、当該コンテンツ配信システムにおいては、ネットワーク1に接続された端末装置3と携帯電話機6と間で無線通信が可能となっている。このため、図10に示すように携帯電話機6の通信事業者網を介すことなく、VOIP技術（Voice  over  Internet  Protocol）を用いた、いわゆるインターネット電話を可能とすることができる。
【００８０】
この場合、端末装置3のメモリ17及び携帯電話機6のメモリ31には、VOIPアプリケーションプログラムが記憶されており、また、端末装置3には、赤外線送受信部13の代わりに、或いは赤外線送受信部13と共に、ブルートゥース送受信部やWiFi送受信部（Wireless  Fidelity）が設けられ、同様に、携帯電話機6にも赤外線送受信部29の代わりに、或いは赤外線送受信部29と共に、ブルートゥース送受信部やWiFi送受信部（Wireless  Fidelity）が設けられる。
【００８１】
電話発信時に、ユーザが前記VOIPアプリケーションプログラムを起動操作すると、携帯電話機6の制御部32が、前記ブルートゥース送受信部或いはWiFi送受信部を介して送話音声を端末装置3に送信する。端末装置3は、この送話音声をインターネット及びDRMライセンスサーバ装置8を介して、送信先となるユーザの端末装置3にVOIP送信する。
【００８２】
前記送信先となるユーザの端末装置3の制御部18は、このVOIP送信された送話音声を受信すると、VOIPアプリケーションプログラムに基づいて、該送信先となるユーザの携帯電話機6に、このVOIP送信された送話音声を、前記ブルートゥース送受信部或いはWiFi送受信部を介して送信する。
【００８３】
これにより、携帯電話機6の通信事業者網を介すことなく、いわゆるインターネット電話により、他の携帯電話機6との間で通話を行うことができる。従って、携帯電話機6の通話代を節約することができる。
【００８４】
なお、図10に示すように端末装置3にカメラ装置60を設け、このカメラ装置60で撮像した画像を、送話音声と共にVOIP送信してもよい。これにより、テレビ電話通信を可能とすることができる。
【００８５】
また、携帯電話機6から端末装置3に対して、当該携帯電話機6のメモリ31に記憶されている電話帳のデータ等を送信してモニタ装置10に表示してもよい。これにより、モニタ装置10の大きな画面で所望の通話先を選択して前記インターネット電話を行うことができる。
【００８６】
さらに、端末装置3で受信された映像コンテンツ、音楽コンテンツ、ゲームコンテンツを、VOIPアプリケーションプログラムで用いられる暗号化鍵で暗号化して携帯電話機6に送信し、該携帯電話機6内で復号化処理して用いることも可能である。上述のように、端末装置3と携帯電話機6とは、前記RFIDにより1対1の関係で対応づけられているため、コンテンツのライセンスを侵害することなく該コンテンツの二次利用を可能とすることができる。
【００８７】
［実施の形態の効果］
以上の説明から明らかなように、この実施の形態のコンテンツ配信システムは、端末装置3を起動状態としておくことで、ユーザは、CMコンテンツの表示時間に応じたポイントを取得することができ、また、この取得したポイントと交換にポイント交換コンテンツを視聴或いは聴取することができ、また、CMコンテンツの広告主や宣伝主に対してアクセスして商品の購入やサービスの提供を受けることができる。
【００８８】
このようにユーザに対して利益のあるコンテンツを配信することで、ユーザは自分の端末装置3を常時、起動状態としておくこととなる。このため、ピアツーピアのネットワークシステムにおいて、コンテンツを配信するための中継機器となる、より多くの端末装置を起動状態に保持することができ、当該システムの安定化を図ることができる。
【００８９】
なお、上述の実施の形態の説明では、携帯電話機6で端末装置3を遠隔操作することとしたが、この携帯電話機6の他、PHS電話機（PHS：Personal  Handyphone  System）、PDA装置（PDA：Personal  Digital  Assistant），ノート型のパーソナルコンピュータ装置等の他の携帯端末装置を用いて端末装置3を遠隔操作するようにしてもよい。
【図面の簡単な説明】
【００９０】
【図１】本発明を適用した実施の形態となるコンテンツ配信システムのブロック図である。
【図２】実施の形態となるコンテンツ配信方法の説明図である。
【図３】（a）は、実施の形態のコンテンツ配信システムに用いられる端末装置のブロック図であり、（b）は、実施の形態のコンテンツ配信システムに用いられる携帯電話機のブロック図である。
【図４】実施の形態のコンテンツ配信システムに用いられる携帯電話機と端末装置との間で無線通信を行われている様子を示す模式図である。
【図５】実施の形態のコンテンツ配信システムにおいて、端末装置のリモートコントローラとし携帯電話機を登録する様子を示す模式図である。
【図６】実施の形態のコンテンツ配信システムにおいて、CMコンテンツに基づく宅配サービスを説明するための図である。
【図７】実施の形態のコンテンツ配信システムにおいて、購入した商品の決済を説明するための図である。
【図８】実施の形態のコンテンツ配信システムにおいて、商品バーコードや商品IDに対応する商品情報が表示される様子を示す図である。
【図９】実施の形態のコンテンツ配信システムにおいて、商品バーコードや商品IDに対応して表示されたデジタルコンテンツの購入画面を示す図である。
【図１０】実施の形態のコンテンツ配信システムにおいて、端末装置及び携帯電話機を用いたインタネット電話を説明するための図である。
【符号の説明】
【００９１】
1…ネットワーク
2…事業者サーバ装置
3…端末装置
4…店舗のサーバ装置
5…店舗の電話機
6…携帯電話機
7…基地局
8…DRMライセンスサーバ装置
9…課金サーバ装置
10…モニタ装置
11…ネットワークインターフェイス
12…モニタインターフェース
13…赤外線送受信部
14…表示時間カウント部
15…時間対応ポイント数テーブル
16…RFIDタグ
17…メモリ
18…制御部
19…非接触ICリーダライタ部
21…アンテナ
22…通信回路
23…スピーカ部
24…マイクロホン部
25…操作部
26…表示部
27…カメラ部
28…GPSセンサ
29…赤外線送受信部
30…非接触ICカード
31…メモリ
32…制御部
33…RFIDリーダ部
35…アンテナ
36…メモリ
37…制御部
41…右キー
42…左キー
43…移動操作キー
51…上筐体
52…下筐体
53…ヒンジ機構
55…DB
55…商品データベース
60…カメラ装置
【図１】
0004597825.tif 000002
【図２】
0004597825.tif 000003
【図３】
0004597825.tif 000004
【図４】
0004597825.tif 000005
【図５】
0004597825.tif 000006
【図６】
0004597825.tif 000007
【図７】
0004597825.tif 000008
【図８】
0004597825.tif 000009
【図９】
0004597825.tif 000010
【図１０】
0004597825.tif 000011